(57)【要約】【課題】消費電力を低減しつつ確実な印刷を行い得るテレビを提供する。【解決手段】画像データＤｇに基づいて表示部２３に表示された画像を印刷するプリンタ４と、表示部２３およびプリンタ４に対する電源の供給を制御する制御部３１とを備え、制御部３１は、表示部２３に画像が表示されかつプリンタ４によって画像が印刷されている状態において表示停止の操作信号Ｓｏを入力したときに、表示部２３に対する電源の供給を停止させると共に少なくとも印刷が完了するまでの間においてプリンタ４に対する電源の供給を継続させる。【選択図】図１
2005318403.tif 000002
【特許請求の範囲】
【請求項１】
画像データに基づいて表示部に表示された画像を印刷するプリンタと、前記表示部および前記プリンタに対する電源の供給を制御する制御部とを備え、
前記制御部は、前記表示部に前記画像が表示されかつ前記プリンタによって前記画像が印刷されている状態において表示停止の指示信号を入力したときに、当該表示部に対する電源の供給を停止させると共に少なくとも前記印刷が完了するまでの間において当該プリンタに対する電源の供給を継続させるテレビ。
【請求項２】
前記制御部は、前記表示部に対する電源の供給を停止させている状態において前記プリンタによる前記画像の印刷が終了したときに当該プリンタに対する電源の供給を停止させる請求項１記載のテレビ。
【請求項３】
前記制御部は、前記表示部に対して電源を供給させている状態において前記プリンタによる画像の印刷が終了したときに当該プリンタに対する電源の供給を継続させる請求項１または２記載のテレビ。
【請求項４】
前記制御部は、前記表示部に対する電源の供給を停止させかつ前記プリンタによって前記画像が印刷されている状態において表示開始の指示信号を入力したときに当該表示部に対して電源を供給させる請求項１から３のいずれかに記載のテレビ。
【発明の詳細な説明】
【技術分野】
【０００１】
本発明は、プリンタを備えたテレビに関するものである。
【背景技術】
【０００２】
この種のテレビとして、特開平９−６５２３４号公報に開示されたビデオプリンタ内蔵型テレビジョン受信機（以下「テレビ」ともいう）が知られている。このテレビは、ビデオプリンタによる画面（画像）の印刷（プリントアウト）時において、印刷対象の子画面と、子画面とは異なる主画面とを同時に表示可能に構成されている。
【特許文献１】特開平９−６５２３４号公報（第３頁、第１図）
【発明の開示】
【発明が解決しようとする課題】
【０００３】
ところが、従来のテレビには、以下の問題点がある。すなわち、このテレビでは、ビデオプリンタによる印刷時に子画面および主画面を常に表示している。この場合、この種のビデオプリンタによる画面の印刷には比較的長い時間を必要とする。このため、例えば、複数の種類の画面を連続して印刷するときや、同じ画面を複数連続して印刷するときには、印刷中に視聴していた番組が終了したとしても、引き続いて印刷が継続していることがある。したがって、このようなときには、次の番組の視聴を希望しないときであったとしても、印刷が終了するまでは、電源を入れた状態で待機して、印刷が終了したことを確認してから電源を切断しなければならないこととなる。一方、近年では、画面の大形化に伴って画面表示用の消費電力が増大している。このため、従来のテレビには、視聴を希望しないときに、不要な画面表示によって電力が無駄に消費されているという問題点がある。また、このテレビでは、例えば、印刷中に外出する急用が発生したときなどには、電源を切断をした時点で、印刷も中断されてしまい未完の状態になってしまうという問題点も存在する。
【０００４】
本発明は、かかる問題点に鑑みてなされたものであり、消費電力を低減しつつ確実な印刷を行い得るテレビを提供することを主目的とする。
【課題を解決するための手段】
【０００５】
上記目的を達成すべく本発明に係るテレビは、画像データに基づいて表示部に表示された画像を印刷するプリンタと、前記表示部および前記プリンタに対する電源の供給を制御する制御部とを備え、前記制御部は、前記表示部に前記画像が表示されかつ前記プリンタによって前記画像が印刷されている状態において表示停止の指示信号を入力したときに、当該表示部に対する電源の供給を停止させると共に少なくとも前記印刷が完了するまでの間において当該プリンタに対する電源の供給を継続させる。
【０００６】
このテレビによれば、プリンタによる画像の印刷中に画像の表示を停止する旨の指示信号を入力したときに制御部が表示部に対する電源の供給を停止させることにより、例えば、印刷中に視聴していた番組が終了して次の番組の視聴を希望しないときには、プリンタによる印刷を継続させつつ画像表示を停止することができる。したがって、視聴を希望しない画像の不要な表示による電力の無駄な消費を抑えることができる結果、テレビの消費電力を確実に低減することができる。
【０００７】
また、本発明に係るテレビは、上記のテレビにおいて、前記制御部は、前記表示部に対する電源の供給を停止させている状態において前記プリンタによる前記画像の印刷が終了したときに当該プリンタに対する電源の供給を停止させる。
【０００８】
このテレビによれば、表示部に対する電源の供給を停止させている状態において印刷が終了したときに制御部がプリンタに対する電源の供給を停止させることにより、例えば、印刷の終了後においてプリンタのスタンバイ状態を維持するための電力消費を削減することができるため、テレビの消費電力をさらに低減することができる。また、例えば、印刷中にその場を離れる場合でも、印刷を中断させることなく画像表示を停止することができ、印刷終了後に確実にプリンタに対する電源の供給も停止することができる。
【０００９】
また、本発明に係るテレビは、上記のテレビにおいて、前記制御部は、前記表示部に対して電源を供給させている状態において前記プリンタによる画像の印刷が終了したときに当該プリンタに対する電源の供給を継続させる。
【００１０】
このテレビによれば、表示部に対して電源を供給させている状態において印刷が終了したときに制御部がプリンタに対する電源の供給を継続させることにより、画像を表示している状態においてプリンタをスタンバイ状態に維持させることができるため、所望の画像が表示されたときに即座に印刷を開始することができる。
【００１１】
さらに、本発明に係るテレビは、上記のテレビにおいて、前記制御部は、前記表示部に対する電源の供給を停止させかつ前記プリンタによって前記画像が印刷されている状態において表示開始の指示信号を入力したときに当該表示部に対して電源を供給させる。
【００１２】
このテレビによれば、表示部に対する電源の供給を停止させかつプリンタが印刷中の状態において画像を表示させる旨の指示信号を入力したときに制御部が表示部に対して電源を供給させることにより、印刷を継続させつつ画像の表示および表示停止を任意に切り替えることができる。
【発明を実施するための最良の形態】
【００１３】
以下、本発明に係るテレビの最良の形態について、添付図面を参照して説明する。図１に示すテレビ１は、本発明に係るテレビの一例であって、リアプロジェクション方式で本体部２に備えられた表示部２３に配設されたスクリーンパネル６２に画像を表示すると共に、スクリーンパネル６２に表示された画像を印刷可能なプリンタ４を備えて構成されている。具体的には、テレビ１は、本体部２、制御ユニット３、プリンタ４、電源部５およびリモコン６を備えて構成されている。
【００１４】
本体部２は、図１に示すように、チューナ２１、表示制御部２２、表示部２３、音声制御部２４および音声出力部２５を備えて構成されている。チューナ２１は、リモコン６の操作によって指定されたチャンネルの画像データＤｇおよび音声データＤｓを図外のアンテナを介して受信した放送信号Ｓｂから抽出して出力する。表示制御部２２は、制御ユニット３によって転送された画像データＤｇに基づいて、例えば、図２に示すテレビ画像Ｐｔ（本発明における画像に相当する）を表示させるための表示用画像信号Ｓｅを生成して表示部２３に出力する。表示部２３は、同図に示すように、光学エンジン６１およびスクリーンパネル６２を備えている。光学エンジン６１は、表示制御部２２から出力された表示用画像信号Ｓｅに基づいて変調した投射光Ｌを射出する。具体的には、光学エンジン６１は、例えば、光源と、光源からの光を画像表示可能な投射光Ｌに変調する変調手段（一例として、透過型液晶パネルを備えた液晶ライトバルブ）と、投射光Ｌを拡大する投射レンズ（いずれも図示せず）とを備えて構成されている。スクリーンパネル６２は、光学エンジン６１から射出されて図外の反射ミラーによって反射された投射光Ｌを受光して拡散または略平行光に変換することにより、各種テレビ画像Ｐｔを表示する。音声制御部２４は、主制御部３１によって転送された音声データＤｓに基づいて音声信号Ｓｓを生成して音声出力部２５に出力する。音声出力部２５は、例えば、アンプおよびスピーカ（いずれも図示せず）を備えて構成されて、音声制御部２４から出力された音声信号Ｓｓに基づく音声を出力する。
【００１５】
制御ユニット３は、主制御部３１および入力処理部３２を備えている。主制御部３１は、本発明における制御部に相当し、本体部２およびプリンタ４を統括的に制御する。また、主制御部３１は、チューナ２１から出力された画像データＤｇおよび音声データＤｓを表示制御部２２および音声制御部２４にそれぞれ転送する。また、主制御部３１は、印刷を指示する赤外線信号Ｓｉがリモコン６から出力されたときには、図３に示す印刷処理８０を実行する。この場合、主制御部３１は、画像データＤｇを出力することによって画像データＤｇに基づく画像（テレビ画像Ｐｔ）をプリンタ４に印刷させる。また、主制御部３１は、印刷処理８０において所定の条件が満たされたときには、制御信号Ｓｃを出力して電源部５のスイッチ５２をオン状態に制御することにより、電源部５内の電源回路５１から本体部２に電源を供給させる。また、主制御部３１は、印刷処理８０において所定の条件が満たされたときには、制御信号Ｓｃを出力して電源部５のスイッチ５３をオン状態に制御することにより、電源回路５１からプリンタ４に電源を供給させる。入力処理部３２は、リモコン６から出力された赤外線信号Ｓｉを光電変換して操作信号Ｓｏを出力する。
【００１６】
プリンタ４は、印刷制御部４１、印刷用データメモリ４２および印刷機構４３を備えて構成されている。印刷制御部４１は、主制御部３１から出力された画像データＤｇに基づいて印刷用データＤｐを生成して印刷用データメモリ４２に記憶させる。また、印刷制御部４１は、印刷用データメモリ４２から印刷用データＤｐを読み出して印刷機構４３に出力することにより、印刷用データＤｐに基づく画像（テレビ画像Ｐｔ）を印刷機構４３に印刷させる。また、印刷制御部４１は、印刷機構４３によるテレビ画像Ｐｔの印刷が終了したときには、印刷終了信号Ｓｎを主制御部３１に出力する。印刷用データメモリ４２は、印刷制御部４１の制御下で印刷用データＤｐを一時的に記憶する。印刷機構４３は、印刷制御部４１の制御下で印刷用データＤｐに基づく画像を印刷する。
【００１７】
電源部５は、電源回路５１およびスイッチ５２，５３を備えて構成されている。電源回路５１は、スイッチ５２を介して本体部２に対して電源を供給すると共に、スイッチ５３を介してプリンタ４に対して電源を供給する。また、電源回路５１は、図外のメイン電源スイッチが投入されている状態では、制御ユニット３に電源を常時供給する。スイッチ５２は、主制御部３１から制御信号Ｓｃが出力されているときには、オン状態に制御されて電源を本体部２に供給し、制御信号Ｓｃの出力が停止されているときには、その供給を停止する。スイッチ５３は、主制御部３１から制御信号Ｓｃが出力されているときには、オン状態に制御されて電源をプリンタ４に供給し、制御信号Ｓｃの出力が停止されているときには、その供給を停止する。
【００１８】
リモコン６は、図２に示すように、電源ボタン７１ａ、印刷ボタン７１ｂ、選局ボタン７１ｃ，７１ｃ・・、画像表示ボタン７１ｄおよび表示停止ボタン７１ｅなどの各種操作ボタンが配列されて構成され、これらの操作ボタンが操作されたときに、各操作ボタンに対応する赤外線信号Ｓｉを出力する。
【００１９】
次に、テレビ１の全体的な動作について、図面を参照して説明する。このテレビ１では、図外のメイン電源スイッチが投入されている状態では、電源回路５１から制御ユニット３に電源が常時供給されている。この状態において、リモコン６の電源ボタン７１ａが操作されたときには、リモコン６が電源ボタン７１ａに対応する赤外線信号Ｓｉを出力し、制御ユニット３の入力処理部３２が赤外線信号Ｓｉを光電変換して操作信号Ｓｏを出力する。次いで、制御ユニット３の主制御部３１が、操作信号Ｓｏに従ってスイッチ５２，５３に制御信号Ｓｃをそれぞれ出力する。これに応じて、図１に示すように、スイッチ５２およびスイッチ５３がそれぞれオン状態に制御されて、本体部２およびプリンタ４に電源回路５１から電源が供給される。これにより、本体部２およびプリンタ４が作動する。
【００２０】
次いで、本体部２のチューナ２１が、例えば、電源が直前に切断されたときに選局されていたチャンネルの画像データＤｇおよび音声データＤｓを図外のアンテナを介して受信した放送信号Ｓｂから抽出して出力する。続いて、主制御部３１は、チューナ２１から出力された画像データＤｇおよび音声データＤｓを表示制御部２２および音声制御部２４にそれぞれ転送する。次に、表示制御部２２は、主制御部３１によって転送された画像データＤｇに基づいて表示用画像信号Ｓｅを生成して表示部２３の光学エンジン６１に出力する。これに応じて、光学エンジン６１の変調手段が光源からの光を表示用画像信号Ｓｅに基づいて投射光Ｌに変調し、投射レンズが投射光Ｌを拡大する。これにより、スクリーンパネル６２に投射光Ｌが投射されて、図２に示すように、テレビ画像Ｐｔが表示される。また、音声制御部２４が音声データＤｓに基づいて音声信号Ｓｓを生成して出力することにより、音声信号Ｓｓに基づく音声が音声出力部２５から出力される。
【００２１】
次に、リモコン６の選局ボタン７１ｃが操作されたときには、主制御部３１は、その選局ボタン７１ｃに対応するチャンネルの画像データＤｇおよび音声データＤｓをチューナ２１に抽出させる。次いで、主制御部３１がチューナ２１から出力された画像データＤｇおよび音声データＤｓを転送することにより、操作された選局ボタン７１ｃに対応するチャンネルのテレビ画像Ｐｔがスクリーンパネル６２に表示されると共に、そのチャンネルの音声が出力される。続いて、スクリーンパネル６２に表示されているテレビ画像Ｐｔを印刷するときには、リモコン６の印刷ボタン７１ｂを操作する。これに応じて、リモコン６が印刷ボタン７１ｂに対応する（印刷を指示する）赤外線信号Ｓｉを出力し、入力処理部３２が赤外線信号Ｓｉを受光して操作信号Ｓｏを出力する。次に、主制御部３１は、操作信号Ｓｏに従い、図３に示す印刷処理８０を実行する。この印刷処理８０では、主制御部３１は、画像データＤｇをプリンタ４の印刷制御部４１に出力する（ステップ８１）。これに応じて、印刷制御部４１が、画像データＤｇに基づいて印刷用データＤｐを生成して印刷用データメモリ４２に記憶させると共に、印刷用データＤｐを印刷機構４３に出力することによって印刷用データＤｐに基づくテレビ画像Ｐｔの印刷を開始させる。
【００２２】
次いで、主制御部３１は、リモコン６の表示停止ボタン７１ｅに対応する操作信号Ｓｏ（本発明における「表示停止の指示信号」に相当する。以下、この操作信号Ｓｏを「操作信号Ｓｏ１」ともいう）を入力処理部３２から入力したか否かを判別する（ステップ８２）。この場合、操作信号Ｓｏ１を入力していないときには、主制御部３１は、プリンタ４から印刷終了信号Ｓｎを入力したか否かを判別する（ステップ８３）。この際に、印刷終了信号Ｓｎを入力したとき、つまり本体部２（表示部２３）に電源が供給されている状態においてプリンタ４によるテレビ画像Ｐｔの印刷が終了したときには、主制御部３１は、この印刷処理８０を終了する。この状態では、本体部２およびプリンタ４には電源部５から電源が供給されているため、次に所望のテレビ画像Ｐｔが表示されたときには、そのテレビ画像Ｐｔの印刷を即座に開始させることができる。
【００２３】
一方、ステップ８３において印刷終了信号Ｓｎを入力していないとき、つまりプリンタ４によってテレビ画像Ｐｔが印刷されている状態のときには、主制御部３１は、ステップ８２を再び実行する。したがって、主制御部３１は、プリンタ４によってテレビ画像Ｐｔの印刷が開始されかつ操作信号Ｓｏ１を入力していないときには、ステップ８２，８３を繰り返して実行する。この状態において、テレビ画像Ｐｔの表示を停止する必要があるときには、リモコン６の表示停止ボタン７１ｅを操作する。この際には、リモコン６が赤外線信号Ｓｉを出力し、入力処理部３２が操作信号Ｓｏ１を出力する。また、主制御部３１は、ステップ８２において操作信号Ｓｏ１を入力したとして、スイッチ５２に対する制御信号Ｓｃの出力を停止する（ステップ８４）。これにより、電源回路５１から本体部２への電源供給が停止されて、本体部２が作動を停止する。この場合、プリンタ４に対する電源供給を継続させつつ本体部２への電源供給が停止されるため、印刷を中断することなくテレビ画像Ｐｔの表示を停止することができる。
【００２４】
続いて、主制御部３１は、プリンタ４から印刷終了信号Ｓｎを入力したか否かを判別する（ステップ８５）。この場合、主制御部３１は、印刷終了信号Ｓｎを入力したとき、つまり、本体部２に対する電源供給が停止している状態においてプリンタ４による印刷が終了したときには、スイッチ５３に対する制御信号Ｓｃの出力を停止して（ステップ８６）、この印刷処理８０を終了する。これにより、プリンタ４に対する電源部５からの電源供給が停止して、本体部２およびプリンタ４の両者が作動停止状態に維持される。
【００２５】
一方、ステップ８５において印刷終了信号Ｓｎを入力していないとき、つまりプリンタ４によるテレビ画像Ｐｔの印刷を終了していないときには、主制御部３１は、画像表示ボタン７１ｄに対応する操作信号Ｓｏ（本発明における「表示開始の指示信号に相当する。以下、この操作信号Ｓｏを「操作信号Ｓｏ２」ともいう）を入力したか否かを判別する（ステップ８７）。この場合、操作信号Ｓｏ２を入力していないときには、主制御部３１は、ステップ８５を再び実行する。したがって、主制御部３１は、本体部２（表示部２３）に対する電源の供給が停止されかつプリンタ４によってテレビ画像Ｐｔが印刷されている状態において操作信号Ｓｏ２を入力していないときには、ステップ８５，８７を繰り返して実行する。この状態において、テレビ画像Ｐｔを再び表示させるときには、リモコン６の画像表示ボタン７１ｄを操作する。この際には、リモコン６が赤外線信号Ｓｉを出力し、入力処理部３２が操作信号Ｓｏ２を出力する。したがって、主制御部３１は、ステップ８７において表示開始の操作信号Ｓｏ２を入力したとして、スイッチ５２に対して制御信号Ｓｃを出力する（ステップ８８）。これにより、電源回路５１から本体部２への電源供給が開始されて本体部２が再び作動して、テレビ画像Ｐｔが表示される。次いで、主制御部３１は、上記したステップ８２を実行する。続いて、主制御部３１は、印刷終了信号Ｓｎおよび操作信号Ｓｏ１，Ｓｏ２の入力有無に応じて、上記したように、ステップ８３、ステップ８４〜８６、およびステップ８４，８５，８７，８８のいずれかの処理を実行する。したがって、テレビ１の視聴者は、印刷終了信号Ｓｎを入力するまでの間、つまりプリンタ４による印刷を終了するまでの間、テレビ画像Ｐｔの表示および表示停止を任意に操作することができる。
【００２６】
このように、このテレビ１によれば、プリンタ４によるテレビ画像Ｐｔの印刷中に表示を停止する旨の操作信号Ｓｏ１を入力したときに主制御部３１が表示部２３（本体部２）に対する電源の供給を停止させることにより、例えば、印刷中に視聴していた番組が終了して次の番組の視聴を希望しないときには、プリンタ４による印刷を継続させつつテレビ画像Ｐｔの表示のみを停止することができる。したがって、視聴を希望しないテレビ画像Ｐｔの不要な表示による電力の無駄な消費を抑えることができる結果、テレビ１の消費電力を確実に低減することができる。また、例えば、印刷中に外出する急用が生じたとしても、印刷を中断させることなくテレビ画像Ｐｔの表示を停止することができる。
【００２７】
また、表示部２３に対する電源の供給を停止させている状態において印刷が終了したときに主制御部３１がプリンタ４に対する電源の供給を停止させることにより、例えば、印刷終了後においてプリンタ４のスタンバイ状態を維持するための消費電力を削減することができるため、テレビ１の消費電力をさらに低減することができる。
【００２８】
また、表示部２３に対して電源を供給させている状態において印刷が終了したときに主制御部３１がプリンタ４に対する電源の供給を継続させることにより、テレビ画像Ｐｔを表示している状態においてプリンタ４をスタンバイ状態に維持させることができるため、所望のテレビ画像Ｐｔが表示されたときに即座に印刷を開始させることができる。
【００２９】
また、表示部２３に対する電源の供給を停止させかつプリンタ４が印刷中の状態においてテレビ画像Ｐｔを表示させる旨の操作信号Ｓｏ２を入力したときに主制御部３１が表示部２３に対して電源を供給させることにより、プリンタ４に印刷を継続させつつテレビ画像Ｐｔの表示および表示停止を任意に切り替えることができる。
【００３０】
なお、本発明は、上記の構成に限定されない。例えば、操作信号Ｓｏ１を入力したときに本体部２に対する電源供給を停止する構成例について上記したが、例えば、表示部２３に対する電源供給のみ停止する構成を採用することもできる。また、リアプロジェクション方式でスクリーンパネル６２に画像を表示する表示部２３を備えたテレビ１を例に挙げて説明したが、本発明における表示部には、液晶パネル、プラズマディスプレイおよびＣＲＴなどの各種の表示手段が含まれる。また、チューナ２１によって受信された放送信号Ｓｂに基づくテレビ画像Ｐｔを印刷する例について上記したが、例えば、ＶＴＲ、ＤＶＤ再生装置およびハードディスクレコーダ等の各種の外部装置から入力した画像データや画像信号に基づく画像を印刷する際に本発明を適用することができる。
【図面の簡単な説明】
【００３１】
【図１】テレビ１の構成を示すブロック図である。
【図２】テレビ１の正面図である。
【図３】印刷処理８０のフローチャートである。
【符号の説明】
【００３２】
１  テレビ、４  プリンタ、２３  表示部、３１  主制御部、Ｄｇ  画像データ、Ｐｔ  テレビ画像、Ｓｏ１，Ｓｏ２  操作信号
【図１】
2005318403.tif 000003
【図２】
2005318403.tif 000004
【図３】
2005318403.tif 000005